(57)【要約】【課題】  画像の拡大縮小処理に適応的な映像信号の出力を可能とする。【解決手段】  動き判定回路４１は、ＣＣＤ１より出力される第１の映像信号とフィールドメモリ５に保持される遅延された遅延映像信号とに基づいて、第１の映像信号内の画像の動きを判定し、ライン補間回路４２は、上記判定結果に応じて第１の映像信号及び第１の遅延映像信号を合成し、補間信号を生成し、走査変換回路４３は、第１の映像信号と第１の補間信号とに基づいて第２の映像信号を生成し、拡大縮小回路６１は、設定される拡大縮小率及び上記判定結果に基づいて第２の映像信号の周波数制御を行う。【選択図】  図１
2006217416.tif 000002
【特許請求の範囲】
【請求項１】
被写体を撮像する撮像手段と、
前記撮像手段より出力される第１の映像信号を遅延させるためのメモリと、
前記撮像手段より出力される前記第１の映像信号と前記メモリに保持される遅延された前記第１の映像信号である遅延映像信号とに基づいて、前記第１の映像信号内の画像の動きを判定する動き判定手段と、
前記動き判定手段による判定結果に応じて前記第１の映像信号及び前記遅延映像信号を合成し、補間信号を生成する補間信号生成手段と、
前記第１の映像信号と前記補間信号とに基づいて第２の映像信号を生成する映像信号生成手段と、
設定される拡大縮小率及び前記判定結果に基づいて前記第２の映像信号の周波数制御を行う周波数制御手段とを有することを特徴とする撮像装置。
【請求項２】
前記周波数制御手段は、
前記第２の映像信号を狭帯域信号に周波数制御して出力する狭帯域信号出力部と、
前記第２の映像信号を広帯域信号に周波数制御して出力する広帯域信号出力部と、
前記狭帯域信号出力部からの出力と前記広帯域信号出力部からの出力とを、前記拡大縮小率及び前記判定結果に応じて合成して出力する合成信号出力部とを含むことを特徴とする請求項１に記載の撮像装置。
【請求項３】
前記合成信号出力部は、前記拡大縮小率により示される拡大率が大きくなるに従って、
前記狭帯域信号出力部からの出力を多く含むように前記狭帯域信号出力部及び前記広帯域信号出力部の出力を合成することを特徴とする請求項２に記載の撮像装置。
【請求項４】
前記周波数制御手段は、前記拡大縮小率及び前記判定結果に応じた周波数帯域で前記第２の映像信号を通過させる帯域制限部を含むことを特徴とする請求項１に記載の撮像装置。
【請求項５】
前記帯域制限部は、前記拡大縮小率により示される拡大率が大きくなるに従って、前記第２の映像信号を通過させる周波数帯域を狭帯域に制御することを特徴とする請求項４に記載の撮像装置。
【請求項６】
前記周波数制御手段は、前記拡大縮小率及び前記判定結果に応じて前記第２の映像信号の周波数特性制御を行う補間部を含むことを特徴とする請求項１、４、５の何れか１項に記載の撮像装置。
【請求項７】
前記補間部は、前記拡大縮小率により示される拡大率が大きくなるに従って、前記第２の映像信号の高周波成分の補償を低める制御を行うことを特徴とする請求項６に記載の撮像装置。
【請求項８】
前記周波数制御手段は、前記拡大縮小率及び前記判定結果に応じて前記第２の映像信号の周波数特性制御を行う輪郭補償部を含むことを特徴とする請求項１、４、５、６、７の何れか１項に記載の撮像装置。
【請求項９】
前記輪郭補償部は、前記拡大縮小率により示される拡大率が大きくなるに従って、前記第２の映像信号の高周波成分の補償を低める制御を行うことを特徴とする請求項８に記載の撮像装置。
【請求項１０】
被写体を撮像する撮像手段と、前記撮像手段より出力される第１の映像信号を遅延させるためのメモリとを有する撮像装置の制御方法であって、
前記撮像手段より出力される前記第１の映像信号と前記メモリに保持される遅延された前記第１の映像信号である遅延映像信号とに基づいて、前記第１の映像信号内の画像の動きを判定する動き判定ステップと、
前記動き判定ステップによる判定結果に応じて前記第１の映像信号及び前記遅延映像信号を合成し、補間信号を生成する補間信号生成ステップと、
前記第１の映像信号と前記補間信号とに基づいて第２の映像信号を生成する映像信号生成ステップと、
設定される拡大縮小率及び前記判定結果に基づいて前記第２の映像信号の周波数制御を行う周波数制御ステップとを含むことを特徴とする撮像装置の制御方法。
【請求項１１】
請求項１０に記載の撮像装置の制御方法をコンピュータに実行させるためのプログラム。
【請求項１２】
請求項１１に記載のプログラムを記録したコンピュータ読み取り可能な記録媒体。
【発明の詳細な説明】
【技術分野】
【０００１】
本発明は、例えばＩＰ変換技術が適用された撮像装置及びその制御方法に関するものである。
【背景技術】
【０００２】
従来より、インタレース画像を補間して、間の走査線を埋めたプログレッシブ画像を生成する、いわゆるＩＰ変換技術がある。例えば、現在普及しているプログレッシブ対応のＤＶＤプレイヤやテレビなどに、このＩＰ変換技術が取り入れられている。
【０００３】
ＩＰ変換は通常、現フィールドとその前後のフィールド画像の相関から、動き部分と静止部分を判定する。そして、動き部分には現フィールドから生成するフィールド内補間処理が、静止部分には前後のフィールドから生成するフィールド間補間処理が適用される。
【０００４】
また、近年のデジタルビデオカメラなどの撮像装置では、ＮＴＳＣなどのテレビフォーマットに要求されている画素数を超える撮像素子を使用して、撮影した動画像、静止画像を縮小処理することにより高画質化を図ることがなされている。このような撮像装置にＩＰ変換技術を適用することにより、更なる高画質化を図ることが行われている（例えば、特許文献１、特許文献２参照）。
【０００５】
【特許文献１】特開平６−２３３１８４号公報
【特許文献２】特許第３１５７７０６号公報
【発明の開示】
【発明が解決しようとする課題】
【０００６】
上記特許文献１では、ＩＰ変換部で検出された動き情報を基に、縮小時の帯域制限フィルタを制御することが提案されている。しかし、縮小画像の画質は補間処理による要因も大きく、また、ＩＰ変換による画質の劣化を適切に処理する必要がある。
【０００７】
また、特許文献２では、ＩＰ変換前のインタレース信号に対して、検出された動き情報を基に、帯域制限フィルタを制御することが提案されている。しかし、ＩＰ変換前では垂直のサンプリング周波数が半分であり、さらにフィールド毎に独立して処理がなされることで、ＩＰ変換後の信号に対する処理とは必ずしも等価にならない。さらに、画像の拡大処理では、ＩＰ変換時に生じた動き判定の誤判定も拡大されてしまうため、画質劣化の要因となる。
【０００８】
そこで、本発明の目的は、画像の拡大縮小処理にも適応的な映像信号の出力を可能とすることにある。
【課題を解決するための手段】
【０００９】
本発明の撮像装置は、被写体を撮像する撮像手段と、前記撮像手段より出力される第１の映像信号を遅延させるためのメモリと、前記撮像手段より出力される前記第１の映像信号と前記メモリに保持される遅延された前記第１の映像信号である遅延映像信号とに基づいて、前記第１の映像信号内の画像の動きを判定する動き判定手段と、前記動き判定手段による判定結果に応じて前記第１の映像信号及び前記遅延映像信号を合成し、補間信号を生成する補間信号生成手段と、前記第１の映像信号と前記補間信号とに基づいて第２の映像信号を生成する映像信号生成手段と、設定される拡大縮小率及び前記判定結果に基づいて前記第２の映像信号の周波数制御を行う周波数制御手段とを有することを特徴とする。
【００１０】
本発明の撮像装置の制御方法は、被写体を撮像する撮像手段と、前記撮像手段より出力される第１の映像信号を遅延させるためのメモリとを有する撮像装置の制御方法であって、前記撮像手段より出力される前記第１の映像信号と前記メモリに保持される遅延された前記第１の映像信号である遅延映像信号とに基づいて、前記第１の映像信号内の画像の動きを判定する動き判定ステップと、前記動き判定ステップによる判定結果に応じて前記第１の映像信号及び前記遅延映像信号を合成し、補間信号を生成する補間信号生成ステップと、前記第１の映像信号と前記補間信号とに基づいて第２の映像信号を生成する映像信号生成ステップと、設定される拡大縮小率及び前記判定結果に基づいて前記第２の映像信号の周波数制御を行う周波数制御ステップとを含むことを特徴とする。
【００１１】
本発明のプログラムは、前記撮像装置の制御方法をコンピュータに実行させることを特徴とする。
【００１２】
本発明のコンピュータ読み取り可能な記録媒体は、前記プログラムを記録したことを特徴とする。
【発明の効果】
【００１３】
本発明によれば、設定される拡大縮小率及び動き判定結果に基づいて、映像信号の周波数制御を行うようにし、画像の拡大処理にも適応的な映像信号の出力が可能となる。
【発明を実施するための最良の形態】
【００１４】
以下、本発明を適用した好適な実施形態を、添付図面を参照しながら詳細に説明する。
【００１５】
＜第１の実施形態＞
先ず、本発明の第１の実施形態について説明する。図１は、本発明の第１の実施形態に係るデジタルビデオカメラの信号処理系の構成を示すブロック図である。
【００１６】
撮像素子であるＣＣＤ１の画素数に関しては様々なものが考え得るが、本実施形態では、記録される動画像フォーマットから求められる必要画素数よりも多い画素数を所定のフィールドレートで出力できるように駆動されるものを例に挙げる。
【００１７】
ＣＣＤ１で光電変換されたインタレース映像信号は、Ａ／Ｄコンバータ２でデジタル信号となり、カメラ信号処理回路３に入力される。カメラ信号処理回路３は、色分離、ホワイトバランス、ガンマ処理などを行い、輝度信号（以下、Ｙ信号と称す）及び色差信号（以下、Ｃｂ信号、Ｃｒ信号と称す）の映像信号を例えば４：２：２の帯域で出力する。
【００１８】
図１では、カメラ信号処理回路３の出力ｃｕｒは１線となっており、Ｙ信号、Ｃｂ信号及びＣｒ信号が多重化されているが、ここはＹ信号とＣｂ信号及びＣｒ信号とが２線に独立していても構わない。以下の説明も同様である。
【００１９】
カメラ信号処理回路３の出力ｃｕｒはＩＰ変換回路４に入力され、さらにＩＰ変換回路４は、フィールドメモリ５の出力ｐｒｅが入力される。
【００２０】
ＩＰ変換回路４は、カメラ信号処理回路３の出力ｃｕｒとフィールドメモリ５の出力ｐｒｅから、フィールドメモリ５の出力に相当するラインを、動き判定結果に基づいて補間処理し、プログレッシブ映像信号に変換するとともに、補間ラインに対する動き判定値ｋを出力する。
【００２１】
拡大縮小回路６１は、動き判定結果に基づいて補間処理を変更し、プログレッシブ映像信号を水平及び垂直方向に拡大縮小して出力する。
【００２２】
ここで、ＣＣＤ１は図２に示すように、ＣＣＤ１の垂直転送路上で垂直方向の電荷が加算され、読み出しフィールドの偶数（ｅｖｅｎ）・奇数（ｏｄｄ）により加算の組み合わせをずらす、所謂インタレース読み出しを行う。
【００２３】
また、フィールドメモリ５には、カメラ信号処理回路３の出力が少なくとも１フィールド分遅延できる容量があり、遅延したフィールド映像信号ｐｒｅを、図３に示すように、カメラ信号処理回路３の出力ｃｕｒに隣接したライン位置になるようにタイミングを合わせて出力する。
【００２４】
次に、ＩＰ変換回路４の動作について詳細に説明する。ＩＰ変換回路４に入力されたカメラ信号処理回路３の出力ｃｕｒ及び遅延したフィールド映像信号ｐｒｅは、ＩＰ変換回路４の内部にある動き判定回路４１及びライン補間回路４２に入力される。
【００２５】
動き判定回路４１では、カメラ信号処理回路３の出力ｃｕｒ及び遅延したフィールド映像信号ｐｒｅとから、補間ライン位置の動き判定を行う。このときのお互いのライン位置関係は、例えば図４に示すように、カメラ信号処理回路３の出力ｃｕｒを１ライン遅延させたｃｕｒ０及び現在の入力ラインであるｃｕｒ１で遅延したフィールド映像信号ｐｒｅを挟み込むようにする。この場合の補間ラインは、遅延したフィールド映像信号ｐｒｅの位置となり、補間画素位置（注目画素位置）はＰｉとなる。
【００２６】
動き判定回路４１は、注目画素位置Ｐｉに対して、現フィールド映像信号ｃｕｒと遅延フィールド映像信号ｐｒｅそれぞれの、フィールド内高周波成分及びフィールド間高周波成分を解析する。
【００２７】
フィールド内高周波成分が支配的な場合は、その画素位置は静止している可能性が高いので、静止寄りの判定となり、フィールド間高周波成分が支配的な場合は、その画素位置は動いている可能性が高いので、動き寄りの判定となる。
【００２８】
この動き判定の結果は、完全静止判定から完全動き判定までを連続的に表現できるように、多値表現の値ｋとして出力される。例えば、ｋは８ビットのデジタル信号値で、ｋ＝０ならば完全静止、ｋ＝２５５ならば完全動きとする。
【００２９】
このようにして得られた動き判定値ｋは、ライン補間回路４２に入力され、ライン補間回路４２は動き判定値ｋに応じて、ｋが小さければ遅延フィールド映像信号ｐｒｅを、ｋが大きければ現フィールド映像信号ｃｕｒを使用するように重み付けして合成し、補間ラインｉｐｒとして出力する。
【００３０】
走査変換回路４３では、入力された現フィールド映像信号ｃｕｒと補間ラインｉｐｒを順次走査になるように交互に出力することで、プログレッシブ映像信号Ｓｐに変換する。
【００３１】
次に、拡大縮小回路６１の動作について詳細に説明する。拡大縮小回路６１には、プログレッシブ映像信号Ｓｐが入力されるとともに、ＩＰ変換回路４内部の動き判定回路４１が出力する動き判定値ｋと、設定された拡大縮小率とが入力される。拡大縮小回路６１は、例えば図５のように構成されている。拡大縮小回路６１の入力信号Ｓｐは、狭帯域補間回路６１１及び広帯域補間回路６１２に入力される。
【００３２】
狭帯域補間回路６１１は、狭帯域信号を出力するような周波数調整、補間特性を持った補間回路であり、例えば図６のような特性を持つ。図中の破線は、Ｓｐが持つベースバンド帯域を、黒塗り領域は、狭帯域補間回路６１１の出力の周波数特性を示す。
【００３３】
広帯域補間回路６１２は広帯域信号を出力するような周波数調整、補間特性を持った補間回路であり、例えば図７のような特性を持つ。図中の破線は、Ｓｐが持つベースバンド帯域を、黒塗り領域は、広帯域補間回路６１２の出力の周波数特性を示す。
【００３４】
合成回路６１３は、それぞれの補間方式で補間された映像信号が入力され、動き判定値ｋの値に応じて２つの信号を重み付けして合成し、補間信号出力Ｓｆを出力する。
【００３５】
動き判定値ｋが大きく、注目画素が動いている可能性が大きい場合、ＩＰ変換回路４では現フィールド信号を多く含んだ補間ラインを生成するために、元々の信号帯域が狭くなっている。このような信号に対して補間回路でさらに帯域を制限してしまうと、画像のボケが必要以上に出てしまう。
【００３６】
また、動き判定値ｋが小さく、注目画素が静止している可能性が大きい場合、ＩＰ変換回路４では遅延フィールド信号を多く含んだ補間ラインを生成するために、元々の信号帯域が広くなっている。このような信号に対して補間回路で適切な帯域制限を行わないと、画像の折り返し妨害や動き判定の揺らぎが必要以上に出てしまう。
【００３７】
従って合成回路６１３は、動き判定値ｋが小さいときは狭帯域補間値を、動き判定値ｋが大きくなるに従い広帯域補間値を多く含むように２つの信号を重み付けして合成する。図８は、合成回路６１３の周波数特性を示す図であり、図８中の破線はＳｐが持つベースバンド帯域を、黒塗り部分は、合成回路６１３の出力の周波数特性を示す。
【００３８】
ここで、画像の拡大率が大きくなってくると、動き判定値の揺らぎが拡大されて妨害として目立ちやすくなってくるという問題がある。従って合成回路６３は、拡大率が大きくなるに従って帯域内の高周波成分を抑圧するように、狭帯域補間値を多く含むように２つの信号を重み付けして合成する。こうして得られた補間映像信号Ｓｆは、ＩＰ変換処理時の周波数特性を加味した上で補間処理がなされているために、非常に良好な補間映像信号として出力することができる。
【００３９】
なお、本実施形態では、動き判定値及び拡大縮小率による周波数調整を２つの帯域を持つ補間回路で構成したが、周波数調整ができる構成であれば、補間アルゴリズムそのものを違うものにしても良いし、補間値の候補も２つ以上あっても構わない。
【００４０】
＜第２の実施形態＞
次に、本発明の第２の実施形態について説明する。図９は、本発明の第２の実施形態に係るデジタルビデオカメラの信号処理系の構成を示すブロック図である。図９等に示すように、本実施形態の信号処理系の構成と第１の実施形態の信号処理系の構成とでは、拡大縮小回路６１と拡大縮小回路６２の構成が異なり、他の部分については同様である。従って、拡大縮小回路６の構成についてのみ説明を行い、他の部分については説明を省略する。
【００４１】
本実施形態の拡大縮小回路６２の動作について詳細に説明する。拡大縮小回路６２には、プログレッシブ映像信号Ｓｐが入力されるとともに、ＩＰ変換回路４内部の動き判定回路４１が出力する動き判定値ｋと、出力の映像信号サイズから求められる拡大縮小率とが入力される。
【００４２】
補間係数発生回路６２０は、設定された拡大縮小率から、拡大縮小倍率を示す倍率係数ｚと、各補間位置に対する、画素毎の補間係数αを発生させる。拡大縮小回路６２の入力信号Ｓｐは帯域制限回路６２１に入力され、帯域制限回路６２１には同時に動き判定値ｋと倍率係数ｚが入力される。
【００４３】
帯域制限回路６２１では、例えば図１０に示すような周波数特性制御が行われ、倍率係数zが縮小倍率を示している時は、縮小率に応じて通過帯域が制限される。即ち、帯域制限回路６２１は、縮小率が小さくなるに従って通過帯域を広げるように制御する。
【００４４】
さらに、帯域制限回路６２１は、動き判定値ｋに応じて通過帯域を制限する。動き判定値ｋが大きく、注目画素が動いている可能性が大きい場合、ＩＰ変換回路４では現フィールド信号を多く含んだ補間ラインを生成するために、元々の信号帯域が狭くなっている。このような信号に対して帯域制限回路６２１でさらに帯域を制限してしまうと、画像のボケが必要以上に出てしまう。
【００４５】
また、動き判定値ｋが小さく、注目画素が静止している可能性が大きい場合、ＩＰ変換回路４では遅延フィールド信号を多く含んだ補間ラインを生成するために、元々の信号帯域が広くなっている。このような信号に対して適切な帯域制限を行わないと、画像の折り返し妨害が必要以上に出てしまう。従って帯域制限回路６２１は、動き判定値ｋが小さいときは狭帯域、動き判定値ｋが大きくなるに従い広帯域となるように制御し、映像信号Ｓｓを出力する。
【００４６】
ただし、画像の拡大率が大きくなってくると、動き判定値の揺らぎが拡大されて妨害として目立ちやすくなってくる。従って帯域制限回路６２１は、拡大率が大きくなると狭帯域となるように制御し、映像信号Ｓｓを出力する。
【００４７】
帯域制限回路６２１の出力信号Ｓｓは、補間回路６２２に入力される。補間回路６２２で行われる補間演算の概念図を図１４に示す。ここで、Ｐnは映像信号Ssの画素位置を示しており、Ｐiが補間点を示している。また、Ｘnは補間点Ｐiと映像信号Ｐnとの距離を示している。ここで、時間関数をｆ(Ｘn)とすると、Ｐｉは以下の式１で求めることができる。
【００４８】
【数１】
2006217416.tif 000003
【００４９】
時間関数ｆ(Ｘn)は図１５のようなものであり、関数曲線は自由に変更することが可能である。図１５の太線の時間特性を周波数特性で表現すると、図１１の太線のように、ピークのない平坦な特性を示す。補間回路６２２では、動き判定値ｋに応じて例えば図１１のような周波数特性制御が行われる。
【００５０】
動き判定値ｋが大きく、注目画素が動いている可能性が大きい場合、ＩＰ変換回路４では現フィールド信号を多く含んだ補間ラインを生成するために、元々の信号帯域が狭くなっている。このような信号に対して補間回路６２２で高周波成分を抑圧してしまうと、画像のボケが必要以上に出てしまう。
【００５１】
また、動き判定値ｋが小さく、注目画素は静止している可能性が大きい場合、ＩＰ変換回路４では遅延フィールド信号を多く含んだ補間ラインを生成するために、元々の信号帯域が広くなっている。このような信号に対して適切な高周波成分の抑圧を行わないと、画像の折り返し妨害が必要以上に出てしまう。従って補間回路６２２は、動き判定値ｋが小さいときは高周波成分を抑圧し、動き判定値ｋが大きくなるに従い高周波成分を補償するように制御し、映像信号Ｓｉを出力する。このとき、時間関数ｆ(Ｘn)は、図１５の太線に示すように、なだらかな変化をするようにすれば良い。
【００５２】
ただし、画像の拡大率が大きくなってくると、動き判定値の揺らぎが拡大されて妨害として目立ちやすくなってくる。従って補間回路６２２は、拡大率が大きくなるに従って高周波成分の補償を低めるように制御し、映像信号Ｓｉを出力する。このとき、時間関数ｆ(Ｘn)は、図１５の細線に示すように、急激な変化をするようにすれば良い。
【００５３】
補間回路６２２の出力信号Ｓｉは、輪郭補償回路６２３に入力される。輪郭補償回路６２３では、動き判定値ｋに応じて例えば図１２、図１３のような周波数特性制御が行われる。動き判定値ｋが大きく、注目画素が動いている可能性が大きい場合、ＩＰ変換回路４では現フィールド信号を多く含んだ補間ラインを生成するために、元々の信号帯域が狭くなっている。このような信号に対して輪郭補償回路６２３で高周波成分を十分に補償しないと、画像のボケが思うように改善されない。
【００５４】
また、動き判定値ｋが小さく、注目画素は静止している可能性が大きい場合、ＩＰ変換回路４では遅延フィールド信号を多く含んだ補間ラインを生成するために、元々の信号帯域が広くなっている。このような信号に対して高周波成分を補償しすぎると、画像の折り返し妨害が必要以上に出てしまう。従って輪郭補償回路６２３は、動き判定値ｋが小さいときは高周波成分を抑圧し、動き判定値ｋが大きくなるに従い高周波成分を補償するように制御し、映像信号Ｓｆを出力する。
【００５５】
輪郭補償の制御方法としては、図１２に示すように輪郭抽出フィルタの特性を変更する、あるいは図１３に示すように輪郭補償利得を変更する、これらの両方を行うなどが考えられる。ただし、画像の拡大率が大きくなってくると、動き判定値の揺らぎが拡大されて妨害として目立ちやすくなってくる。従って補間回路６２２は、拡大率が大きくなると高周波成分を補償する度合いを下げるように制御し、映像信号Ｓｆを出力する。
【００５６】
こうして得られた補間映像信号Ｓｆは、ＩＰ変換処理時の周波数特性を加味した上で補間処理がなされているために、非常に良好な補間映像信号として出力することができる。
【００５７】
以上のように、上記実施形態によれば、ＩＰ変換されたプログレッシブ映像信号を拡大縮小する際に、動き判定結果及び拡大縮小率に応じて、適応的に出力画質を制御することが可能となる。
【００５８】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００５９】
この場合、記憶媒体から読み出されたプログラムコード自体が前述した実施形態の機能を実現することになり、プログラムコード自体及びそのプログラムコードを記憶した記憶媒体は本発明を構成することになる。
【００６０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６１】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００６２】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００６３】
【図１】本発明の第１の実施形態に係るデジタルビデオカメラの信号処理系の構成を示すブロック図である。
【図２】ＣＣＤからの電荷読み出し動作を説明するための図である。
【図３】ＩＰ変換回路への入力信号の垂直位相を示す図である。
【図４】動き判定回路の動き判定動作を説明するための図である。
【図５】本発明の第１の実施形態における拡大縮小回路の構成を示す図である。
【図６】狭帯域補間回路の周波数特性を示す図である。
【図７】広帯域補間回路の周波数特性を示す図である。
【図８】広帯域補間回路の周波数特性を示す図である。
【図９】本発明の第２の実施形態に係るデジタルビデオカメラの信号処理系の構成を示すブロック図である。
【図１０】帯域制限回路の周波数特性を示す図である。
【図１１】補間回路の周波数特性を示す図である。
【図１２】輪郭補償回路の周波数特性を示す図である。
【図１３】輪郭補償回路の利得特性を示す図である。
【図１４】補間回路の概念図を示す図である。
【図１５】補間回路の時間特性を示す図である。
【符号の説明】
【００６４】
１  ＣＣＤ
２  Ａ／Ｄコンバータ
３  カメラ信号処理回路
４  ＩＰ変換回路
４１  動き判定回路
４２  ライン補間回路
４３  走査変換回路
５  フィールドメモリ
６１、６２  拡大縮小回路
６１１  狭帯域補間回路
６１２  広帯域補間回路
６１３  合成回路
６２０  補間係数発生回路
６２１  帯域制限回路
６２２  補間回路
６２３  輪郭補償回路
７  ＴＧ（タイミングジェネレータ）
【図１】
2006217416.tif 000004
【図２】
2006217416.tif 000005
【図３】
2006217416.tif 000006
【図４】
2006217416.tif 000007
【図５】
2006217416.tif 000008
【図６】
2006217416.tif 000009
【図７】
2006217416.tif 000010
【図８】
2006217416.tif 000011
【図９】
2006217416.tif 000012
【図１０】
2006217416.tif 000013
【図１１】
2006217416.tif 000014
【図１２】
2006217416.tif 000015
【図１３】
2006217416.tif 000016
【図１４】
2006217416.tif 000017
【図１５】
2006217416.tif 000018